(57)【要約】      （修正有）【課題】寒冷地において、流入した冷気が身体の一部に直接当るの防止することができ、かつ低圧損で外気を導入することができ、暖房により室内上部に滞留した暖気に外気を混入して室内に快適な循環流を形成することができる寒冷地用換気レジスターを提供する。【解決手段】壁１の開口部２に取り付けられ中央に外気が流入する流入開口１２ａを有する円板状の受座１２と、受座に着脱可能に取り付けられ流入開口の前面を間隔を隔てて塞ぐレジスターカバー１４とからなる。レジスターカバー１４は、流入開口より流入する外気３の向きを上方に低圧損で偏向させる湾曲内面１４ａと、外気が上方に低圧損で流出する流出開口１４ｂとを有する。【選択図】図１
2004233033.tif 000002
【特許請求の範囲】
【請求項１】
壁または天井の開口部に取り付けられ中央に外気が流入する流入開口を有する受座と、該受座に着脱可能に取り付けられ流入開口の前面を間隔を隔てて塞ぐレジスターカバーとからなり、
該レジスターカバーは、前記流入開口より流入する外気の向きを低圧損で偏向させる湾曲内面と、外気が低圧損で流出する単一または複数の流出開口とを有する、ことを特徴とする寒冷地用換気レジスター。
【請求項２】
前記受座は、流入開口を囲み壁または天井から室内に向けて突出した円形または角形の突起部と、該突起部の室内側端部から外方に張出した鍔部とを有し、該鍔部の周方向の複数箇所に切欠部が設けられており、
前記レジスターカバーは、受座の鍔部とその外縁に沿って摺動可能に嵌合する円形または角形の内面と、該内面より内側に突出し前記切欠部を通過して前記鍔部より壁側に挿入可能な大きさの複数の突出片部とを有する、ことを特徴とする請求項１に記載の寒冷地用換気レジスター。
【請求項３】
前記レジスターカバーの流出開口近傍に着脱可能なフィルターを有する、ことを特徴とする請求項１または２に記載の寒冷地用換気レジスター。
【請求項４】
前記レジスターカバーの内面に張り付けられた吸音スポンジを有する、ことを特徴とする請求項１または２に記載の寒冷地用換気レジスター。
【請求項５】
前記レジスターカバーの内側に結露した水滴を溜めるトレーを備える、ことを特徴とする請求項１または２に記載の寒冷地用換気レジスター。
【請求項６】
前記受座の流入開口は、別の形式の換気レジスターが取り付けられる形状に設定されている、ことを特徴とする請求項１または２に記載の寒冷地用換気レジスター。
【請求項７】
前記受座は、壁の開口内に直接嵌合する円筒形ベースを有する、ことを特徴とする請求項１または２に記載の寒冷地用換気レジスター。
【請求項８】
前記受座は、壁の開口内に直接取り付けられる円筒形スリーブと壁との間に挟持されて壁に取り付けられる、ことを特徴とする請求項１または２に記載の寒冷地用換気レジスター。
【発明の詳細な説明】
【技術分野】
【０００１】
本発明は、壁を通して外気を室内に導入し或いは室内空気を排気するための給気孔構造に係わり、更に詳しくは、寒冷地に特に適した換気レジスターに関する。
【背景技術】
【０００２】
近年、住宅の高気密化・高断熱化が進み、十分な換気を行わないと二酸化炭素濃度が高くなりすぎたり、特に新築住宅などではホルムアルデヒドや揮発有機化合物（ＶＯＣ：Ｖａｐｏｒ  Ｏｒｇａｎｉｃ  Ｃｏｍｐｏｓｉｔｉｏｎ）の濃度が高くなりすぎることがある。更に、不十分な換気により湿度が高くなってカビやダニが発生し、アレルギーを引き起こすこともある。
【０００３】
この問題を解決するために、特許文献１〜４が既に提案されている。
【０００４】
特許文献１の「住宅用換気構造」は、図４に示すように、気密性の保たれた住宅（例えばマンション）のほぼ中央部に設置され室内空気を外部に直接排気する中央排気装置２１と、外気と接する外壁に設けられ外気と室内を連通する連通用給気孔２２とを備える。中央排気装置２１は、連通用給気孔２２から室内を通って外部まで流れるエアサイクルを形成し、かつ騒音が十分低い低風量で連続運転するようになっている。従って、この構成により、低流量の２４時間換気により、給気孔からの外気が室内を通って外部まで流れるエアサイクルを形成し、騒音をほとんど発生させることなく、室内汚染物の濃度を低く抑えることができる。
なお、特許文献１において、連通用給気孔２２で形成されるゆっくりとしたエアサイクルを阻害しないように、連通用給気孔２２に低圧損ガラリが取り付けられている。
【０００５】
特許文献２の「換気ガラリ、換気レジスター及び給気孔組立体」は、連通用給気孔に取り付けられる給気孔組立体の具体例を示すものであり、図５に示すように、外壁に埋め込まれる埋設スリーブ３０、換気ガラリ３２及び換気レジスター３４からなる。換気ガラリ３２は、外壁の外側にパッキンとコーキング材で取り付けられ、雨水の侵入を防止しながら給気を導入する機能を有する。
【０００６】
特許文献３の「換気レジスター」は、図６に示すように、壁の開口内に取り付けられる円筒形ベース４１ｂとその内面に設けられた周方向の複数のバヨネット突起４１ａとを有するバヨネットマウント４１と、バヨネット突起と着脱可能な連結アーム４７ａを有するレジスター部４７とからなり、連結アームの着脱によりレジスター部をバヨネットマウントに着脱する、ことを特徴とするものである。
【０００７】
特許文献４の「消音換気装置」は、図７に示すように、建物の壁を貫通する換気孔５１内に挿入して取付けられる筒状のスリーブ５５と換気レジスター５８とを備えた消音換気装置であって、換気孔５１内に、中心部に筒状の第１通気道５２ａが設けられ、その外周に消音室５２ｂが形成されてなる低周波消音部５２と、該低周波消音部５２に連接され中心部に前記第１通気道５２ａと連通する筒状の第２通気道５４ａが設けられ、その外筒に高周波吸音部材５４ｂを配置してなる高周波消音部５４とからなる消音装置を配設した、ことを特徴とするものである。
【０００８】
【特許文献１】特開平１１−２８７４９３号公報
【特許文献２】特開２０００−２２６８９２号公報
【特許文献３】特開２０００−３０４３２１号公報
【特許文献４】特開２００３−１３０４１０号公報
【発明の開示】
【発明が解決しようとする課題】
【０００９】
図８は、従来の連通用給気孔の一般的な構造図であり、（Ａ）は断面図、（Ｂ）は右側面図である。この図に示すように、従来の給気孔６２は、外気と接する外壁６３に埋め込まれた埋設スリーブ６４（「コンクリート打ち込みスリーブ」と呼ばれる）、埋設スリーブ６４の内面に挿入されたジョイントスリーブ６５、埋設スリーブの外端部に取り付けられる換気ガラリ６６、及びジョイントスリーブ６５の内端部に取り付けられる換気レジスター６７から構成される。
【００１０】
埋設スリーブ６４は、通常、長さがほぼ外壁６３の厚さに等しい塩化ビニール製の円筒管であり、外壁コンクリートの打ち込み時に埋設される。ジョイントスリーブ６５は、接着剤等で埋設スリーブ６４に固定され、換気レジスター６７の取り付け面（室内壁面）までの隙間を塞ぐ機能を有する。また、換気ガラリ６６はパッキンとコーキング材で埋設スリーブの内面に取り付けられ、雨水の侵入を防止しながら給気を導入する。更に、換気レジスター６７は、通常、２組の換気扇の一方を揺動させて開口面積を変化させ給気流量を調節するようになっている。
【００１１】
しかし、上述した従来の給気孔構造、特に換気レジスターには、以下の問題点があった。
北海道のような寒冷地であっても、住宅の高気密化・高断熱化に対応して、十分な換気が義務付けられ、上述した給気孔組立体が通常設けられている。しかし寒冷地では、冬期において外気温度は氷点下１０℃前後まで下がる日が長期に及ぶことがあり、室内温度（例えば２８℃前後）との温度差は、３０℃以上に達することが多い。
そのため、寒冷地では、連通用給気孔から流入した冷気が身体の一部（例えば顔）に直接当るのを嫌い、連通用給気孔をガムテープ等で塞いでいることが多い。その結果、室内換気が不十分となり、ホルムアルデヒドや揮発有機化合物の濃度が高くなりすぎたり、カビやダニが発生し、アレルギーを引き起すおそれがあった。
また、外気がほとんど流入しないため、暖房による暖気が上昇して室内の上部に滞留し、足下は依然として寒い状況が発生しやすかった。
【００１２】
本発明は、上述した問題点を解決するために創案されたものである。すなわち、本発明の目的は、寒冷地において、流入した冷気が身体の一部に直接当るの防止することができ、かつ低圧損で外気を導入することができ、暖房により室内上部に滞留した暖気に外気を混入して室内に快適な循環流を形成することができる寒冷地用換気レジスターを提供することにある。
【課題を解決するための手段】
【００１３】
本発明によれば、壁または天井の開口部に取り付けられ中央に外気が流入する流入開口を有する受座と、該受座に着脱可能に取り付けられ流入開口の前面を間隔を隔てて塞ぐレジスターカバーとからなり、
該レジスターカバーは、前記流入開口より流入する外気の向きを低圧損で偏向させる湾曲内面と、外気が低圧損で流出する単一または複数の流出開口とを有する、ことを特徴とする寒冷地用換気レジスターが提供される。
【００１４】
上記本発明の構成によれば、受座に着脱可能に取り付けられ流入開口の前面を間隔を隔てて塞ぐレジスターカバーが、流入開口より流入する外気の向きを湾曲内面で低圧損で偏向させ、流出開口から外気を低圧損で流出するので、寒冷地において、流入した冷気が身体の一部に直接当るの防止することができ、かつ低圧損で外気を導入することができる。また、壁または天井に取り付けた場合、上方に低圧損で流出した冷気により、室内上部に滞留した暖気に外気を混入して室内に快適な循環流を形成することができる。
【００１５】
本発明の好ましい実施形態によれば、前記受座は、流入開口を囲み壁または天井から室内に向けて突出した円形または角形の突起部と、該突起部の室内側端部から外方に張出した鍔部とを有し、該鍔部の周方向の複数箇所に切欠部が設けられており、前記レジスターカバーは、受座の鍔部とその外縁に沿って摺動可能に嵌合する円形または角形の内面と、該内面より内側に突出し前記切欠部を通過して前記鍔部より壁側に挿入可能な大きさの複数の突出片部とを有する。
【００１６】
この構成により、レジスターカバーの複数の突出片部を受座の複数箇所の切欠部に合わせ、切欠部を通過して鍔部より壁側に挿入した後、レジスターカバーを鍔部とその外縁に沿って摺動させることにより、一種のバヨネットマウントのようにレジスターカバーを受座に工具なしで容易に着脱することができる。
またこの状態で、レジスターカバーの円形または角形の内面が受座の鍔部としっかり嵌合するので、嵌合部からの冷気の漏れを無くすことができる。更にレジスターカバーは、鍔部の外縁に沿って摺動可能なため、流出開口から流出する冷気の向きを工具なしで容易に変更することができる。
【００１７】
また、前記レジスターカバーの流出開口近傍に着脱可能なフィルターを有する。
この構成により、低圧損で通気しながらかつ防虫、防塵および花粉の侵入を防ぐことができる。
【００１８】
また、前記レジスターカバーの内面に張り付けられた吸音スポンジを有する。
この構成により、吸音スポンジで外気と共に流入する騒音を吸音して騒音レベルを下げるとともに、水分を吸収・蒸発させてレジスターカバー内での結露を低減することができる。
また、前記レジスターカバーの内側に結露した水滴を溜めるトレーを備える。
この構成により、レジスターカバーの内側に結露した水滴をトレー内に溜めることができる。
【００１９】
また、前記受座の流入開口は、別の形式の換気レジスターが取り付けられる形状に設定されている。
この構成により、従来の別形式の換気レジスターを併用して、冷気の分散や流量調整をすることができる。
【００２０】
前記受座は、壁の開口内に直接取嵌合する円筒形ベースを有する。
この構成により、新設時において、円筒形ベースを開口内に直接取り付けることにより、別のスリーブを準備することなく受座を取り付けることができる。
【００２１】
また前記受座は、壁の開口内に直接取り付けられる円筒形スリーブと壁との間に挟持して壁に取り付けてもよい。
この構成により、既設円筒形スリーブを用いて受座を取り付けることができる。。
【発明の効果】
【００２２】
上述したように、本発明の寒冷地用換気レジスターは、寒冷地において、流入した冷気が身体の一部に直接当るの防止することができ、かつ低圧損で外気を導入することができ、暖房により室内上部に滞留した暖気に外気を混入して室内に快適な循環流を形成することができる、等の優れた効果を有する。
【発明を実施するための最良の形態】
【００２３】
以下、本発明の好ましい実施形態を図面を参照して説明する。なお、各図において共通する部分には同一の符号を付し、重複した説明を省略する。
【００２４】
図１は本発明の寒冷地用換気レジスターの実施形態を示す全体断面図であり、図２は図１の換気レジスターの分解図、図３は図１の換気レジスターを一部分解して示す正面図である。
【００２５】
図１〜３に示すように、本発明の寒冷地用換気レジスター１０は、円板状の受座１２とレジスターカバー１４とからなる。
【００２６】
円板状の受座１２は、図１に示すように、壁１の開口部２に取り付けられ中央に外気が流入する流入開口１２ａを有する。開口部２は、天井に設けられた開口部であってもよい。
【００２７】
また図１の例において、受座１２は、壁１の開口内に直接嵌合するる円筒形ベース１２ｂを有し、新設時において、円筒形ベース１２ｂを開口内に直接取り付けることにより、別のスリーブを準備することなく受座を取り付けられるようになっている。円筒形ベース１２ｂは、壁１の開口部に接着剤，パッキン，コーキング材等で取付けられる。
なお、本発明はこの構成に限定されず、円筒形ベースを持たない受座を、既設の円筒形スリーブと壁との間に挟持して壁に取り付けてもよい。
【００２８】
図２、３に示すように、受座１２は、流入開口１２ａを囲み壁から室内に向けて突出した円形の１２ｃと、円形突起部１２ｃの室内側端部から外方に張出した円形の鍔部１２ｄを有する。なお、突起部１２ｃと鍔部１２ｄが、角形であってもよい。
またこの鍔部１２ｄの周方向の複数箇所（この例では直径方向に２箇所）に切欠部１３が設けられている。１３ａは切欠部１３の向きを示すマークであり、この例では上下方向に設けられている。
なお、上述した１２ａ，１２ｂ，１２ｃ，１２ｄは、この例では一体部品として成形されているが、本発明はこの構成に限定されず、複数の部品の組み合わせであってもよい。
【００２９】
また、受座１２の流入開口１２ａは、別形式の換気レジスター１９（例えば２組の換気扇の一方を揺動させて開口面積を変化させ給気流量を調節するもの）が取り付け、流入する冷気３の分散や流量調整ができるように形状および寸法が設定されている。
【００３０】
図１において、レジスターカバー１４は、受座１２に着脱可能に取り付けられ、流入開口１２ａの前面を間隔を隔てて塞ぐようになっている。このレジスターカバー１４は、流入開口１２ａより流入する外気の向きを上方に低圧損で偏向させる湾曲内面１４ａと、外気が上方に低圧損で流出する流出開口１４ｂとを有する。流出開口１４ｂはこの例では上方に１つであるが、天井面に取り付ける場合、複数（２〜４箇所）であるのがよい。
【００３１】
レジスターカバー１４は、この例では正面から見て円形であり、低圧損で偏向させるために厚さが下方から上方に徐々に膨らむように形成されている。なお、正面から見て角形であってもよい。
また、同じ目的で、レジスターカバー１４の厚さは、後述する吸音スポンジ１８と別形式の換気レジスター１９を内部に組み込んだ場合でも、流出開口１４ｂまでの流路面積が流入開口１２ａより十分大きくなるように設定されている。さらに、流出開口１４ｂの流路面積も流入開口１２ａより十分大きく設定されている。
【００３２】
図２、３に示すように、この例では、レジスターカバー１４は、受座１２のリング状の鍔部１２ｄと軸心を中心に回転可能に嵌合する円形内面１４ｃと、この円形内面１４ｃより内側に突出し切欠部１３を通過して鍔部１２ｄより壁側に挿入可能な大きさの複数の突出片部１４ｄとを有し、レジスターカバーの複数の突出片部１４ｄを受座の複数箇所の切欠部１３に合わせ、切欠部１３を通過して鍔部１２ｄより壁側に挿入した後、レジスターカバー１４を軸心を中心に回転させることにより、一種のバヨネットマウントのようにレジスターカバー１４を受座１２に工具なしで容易に着脱できるようになっている。
なお、突起部１２ｃと鍔部１２ｄが、角形である場合、レジスターカバーは、受座の鍔部とその外縁に沿って摺動可能に嵌合する角形の内面を有するのがよい。
また、上述した１４ａ，１４ｂ，１４ｃ，１４ｄは、この例では一体部品として成形されているが、本発明はこの構成に限定されず、複数の部品の組み合わせであってもよい。
【００３３】
また、図１、２に示すように、この例において本発明の寒冷地用換気レジスター１０は、レジスターカバー１４の流出開口１４ｂの近傍に着脱可能なフィルター１６を有する。レジスターカバー１４の流出開口１４ｂの近傍には、フィルター１６の両端部を嵌め込むための取付溝１５ａが設けられており、この溝にフィルター１６の両端部を嵌め込むことで、容易にフィルター１６を着脱することができる。
このフィルター１６は、例えば、花粉フィルターと粉塵フィルターとからなる。これらのフィルターは、自然換気での通気ができるように低圧損に設定され、低圧損で通気しながら防虫、防塵および花粉の侵入を防ぐようになっている。
【００３４】
さらに、図１、２に示すように、この例において本発明の寒冷地用換気レジスター１０は、レジスターカバー１４の内面に張り付けられた吸音スポンジ１８を有し、吸音スポンジで外気と共に流入する騒音を吸音して騒音レベルを下げるとともに、水分を吸収・蒸発させてレジスターカバー内での結露を低減するようになっている。
また、図１、２に示すように、レジスターカバーの内側に結露した水滴を溜めるトレー２０を備え、レジスターカバーの内側に結露した水滴をトレー内に溜めるようにしてもよい。
【００３５】
上述した本発明の構成によれば、受座１２に着脱可能に取り付けられ流入開口１２ａの前面を間隔を隔てて塞ぐレジスターカバー１４が、流入開口１２ａより流入する外気３の向きを湾曲内面１４ａで上方に低圧損で偏向させ、流出開口１４ｂから外気を上方に低圧損で流出するので、寒冷地において、流入した冷気３が身体の一部に直接当るの防止することができ、かつ低圧損で外気を導入することができ、暖房により室内上部に滞留した暖気に外気を混入して室内に快適な循環流を形成することができる。
また、レジスターカバー１４の円形の内面１４ｃが受座１２のリング状の鍔部１４ｄと嵌合するので、嵌合部からの冷気の漏れを無くすことができる。更にレジスターカバー１４は、軸心を中心に回転可能なため、流出開口から上方に流出する冷気の向きを左右に工具なしで容易に変更することができる。
【００３６】
なお、本発明は上述した実施形態に限定されるものではなく、本発明の要旨を逸脱しない範囲で種々に変更できることは勿論である。例えば上述したフィルター、吸音スポンジ、別形式の換気レジスターは必須ではなくこれらを省略して使用することもできる。また、換気レジスター以外の埋設スリーブと換気ガラリは、周知の種々のものと自由に組み合わせることができる。
【図面の簡単な説明】
【００３７】
【図１】本発明の寒冷地用換気レジスターの実施形態を示す全体断面図である。
【図２】図１の換気レジスターの分解図である。
【図３】図１の換気レジスターを一部分解して示す正面図である。
【図４】特許文献１の「住宅用換気構造」の模式図である。
【図５】特許文献２の「換気ガラリ、換気レジスター及び給気孔組立体」の模式図である。
【図６】特許文献３の「換気レジスター」の模式図である。
【図７】特許文献４の「消音換気装置」の模式図である。
【図８】従来の連通用給気孔の構造図である。
【符号の説明】
【００３８】
１  壁、２  開口部、３  冷気（外気）、
１０  寒冷地用換気レジスター、
１２  受座、１２ａ  流入開口、１２ｂ  円筒形ベース、
１２ｃ  円形突起部、１２ｄ  鍔部、１３  切欠部、
１４  レジスターカバー、１４ａ  湾曲内面、
１４ｂ  流出開口、１４ｃ  円形内面、１４ｄ  突出片部、１５ａ  取付溝、
１６  フィルター、１８  吸音スポンジ、１９  別形式の換気レジスター、
２０  トレー
【図１】
2004233033.tif 000003
【図２】
2004233033.tif 000004
【図３】
2004233033.tif 000005
【図４】
2004233033.tif 000006
【図５】
2004233033.tif 000007
【図６】
2004233033.tif 000008
【図７】
2004233033.tif 000009
【図８】
2004233033.tif 000010